(57)【要約】    【課題】  ストロボ装置において、大発光量から小発光量に至るまで、実発光量の適正発光量に対する偏差が極めて少ない発光を行うことを可能にする。    【解決手段】  ストロボ装置７０を内蔵した撮像装置１００が、キセノン管７２と、該キセノン管７２に比べ、発光量が少なく且つ高精度の発光量制御が可能な白色発光ダイオード７４とを備え、撮像装置１００の動作状態情報または撮影関連情報に応じて、キセノン管７２と白色発光ダイオード７４との発光比率を決定し、この決定された発光比率に従い、キセノン管７２及び白色発光ダイオード７４の各発光量を制御する。【選択図】      図１
2006091820.tif 000002
【特許請求の範囲】
【請求項１】
ストロボ発光を行うことが可能な撮像装置において、
第１の発光手段と、
前記第１の発光手段に比べ、発光量が少なく且つ高精度の発光量制御が可能な第２の発
光手段と、
前記撮像装置の動作状態情報または撮影関連情報に応じて、前記第１の発光手段と前記
第２の発光手段との発光比率を決定する発光比率決定手段と、
前記発光比率決定手段によって決定された発光比率に従い、前記第１の発光手段及び前
記第２の発光手段の各発光量を制御する発光量制御手段と
を有することを特徴とする撮像装置。
【請求項２】
適正露出を得るために必要なストロボ発光量を算出する発光量算出手段をさらに有し、
前記発光比率決定手段は、前記発光量算出手段によって算出されたストロボ発光量が所
定の発光量以下である場合、前記第１の発光手段の発光量に対する前記第２の発光手段の
発光量の比率を高くすることを特徴とする請求項１に記載の撮像装置。
【請求項３】
前記発光比率決定手段は、前記撮像装置と被写体との距離が所定の距離以下である場合
、前記第１の発光手段の発光量に対する前記第２の発光手段の発光量の比率を高くするこ
とを特徴とする請求項１に記載の撮像装置。
【請求項４】
前記発光比率決定手段は、前記撮像装置に接写撮影モードが設定されている場合、前記
第１の発光手段の発光量に対する前記第２の発光手段の発光量の比率を高くすることを特
徴とする請求項１に記載の撮像装置。
【請求項５】
前記発光比率決定手段は、シャッタ速度が所定の速度以上である場合、前記第１の発光
手段の発光量に対する前記第２の発光手段の発光量の比率を高くすることを特徴とする請
求項１に記載の撮像装置。
【請求項６】
前記撮像装置に装着されている電池の蓄電残量を検出する電池残量検出手段をさらに有
し、
前記発光比率決定手段は、前記電池残量検出手段によって検出された蓄電残量が所定の
残量以下である場合、前記第１の発光手段の発光量に対する前記第２の発光手段の発光量
の比率を高くすることを特徴とする請求項１に記載の撮像装置。
【請求項７】
前記第１の発光手段及び前記第２の発光手段でそれぞれ発光される各発光量に基づいて
ホワイトバランス補正データを算出するホワイトバランス補正データ算出手段をさらに有
することを特徴とする請求項１に記載の撮像装置。
【請求項８】
前記第１の発光手段はキセノン管であり、前記第２の発光手段は発光ダイオードである
ことを特徴とする請求項１に記載の撮像装置。
【請求項９】
第１の発光手段と、該第１の発光手段に比べ、発光量が少なく且つ高精度の発光量制御
が可能な第２の発光手段とによりストロボ発光を行うことが可能な撮像装置に適用される
ストロボ発光制御方法において、
前記撮像装置の動作状態情報または撮影関連情報に応じて、前記第１の発光手段と前記
第２の発光手段との発光比率を決定する発光比率決定ステップと、
前記発光比率決定ステップによって決定された発光比率に従い、前記第１の発光手段及
び前記第２の発光手段の各発光量を制御する発光量制御ステップと
を有することを特徴とするストロボ発光制御方法。
【請求項１０】
第１の発光手段と、該第１の発光手段に比べ、発光量が少なく且つ高精度の発光量制御
が可能な第２の発光手段とによりストロボ発光を行うことが可能な撮像装置に適用される
ストロボ発光制御方法を、コンピュータに実行させるためのプログラムにおいて、
前記撮像装置の動作状態情報または撮影関連情報に応じて、前記第１の発光手段と前記
第２の発光手段との発光比率を決定する発光比率決定ステップと、
前記発光比率決定ステップによって決定された発光比率に従い、前記第１の発光手段及
び前記第２の発光手段の各発光量を制御する発光量制御ステップと
を有することを特徴とするプログラム。
【請求項１１】
撮像装置に接続可能なストロボ装置において、
第１の発光手段と、
前記第１の発光手段に比べ、発光量が少なく且つ高精度の発光量制御が可能な第２の発
光手段と、
前記ストロボ装置に接続された撮像装置から該撮像装置の動作状態情報または撮影関連
情報を受信する受信手段と、
前記受信手段によって受信された前記撮像装置の動作状態情報または撮影関連情報に応
じて、前記第１の発光手段と前記第２の発光手段との発光比率を決定する発光比率決定手
段と、
前記発光比率決定手段によって決定された発光比率に従い、前記第１の発光手段及び前
記第２の発光手段の各発光量を制御する発光量制御手段と
を有することを特徴とするストロボ装置。
【請求項１２】
前記受信手段は、前記撮像装置から適正露出を得るために必要なストロボ発光量を受信
し、
前記発光比率決定手段は、前記受信手段によって受信されたストロボ発光量が所定の発
光量以下である場合、前記第１の発光手段の発光量に対する前記第２の発光手段の発光量
の比率を高くすることを特徴とする請求項１１に記載のストロボ装置。
【請求項１３】
前記受信手段は、前記撮像装置から前記撮像装置と被写体との距離を示す被写体距離情
報を受信し、
前記発光比率決定手段は、前記受信手段によって受信された前記被写体距離が所定の距
離以下である場合、前記第１の発光手段の発光量に対する前記第２の発光手段の発光量の
比率を高くすることを特徴とする請求項１１に記載のストロボ装置。
【請求項１４】
前記受信手段は、前記撮像装置から前記撮像装置に設定されている撮影モードを示す情
報を受信し、
前記発光比率決定手段は、前記受信手段によって受信された撮影モードが接写撮影モー
ドであった場合、前記第１の発光手段の発光量に対する前記第２の発光手段の発光量の比
率を高くすることを特徴とする請求項１１に記載のストロボ装置。
【請求項１５】
前記受信手段は、前記撮像装置からシャッタ速度を示す情報を受信し、
前記発光比率決定手段は、前記受信手段によって受信されたシャッタ速度が所定の速度
以上である場合、前記第１の発光手段の発光量に対する前記第２の発光手段の発光量の比
率を高くすることを特徴とする請求項１１に記載のストロボ装置。
【請求項１６】
前記受信手段は、前記撮像装置から該撮像装置に装着されている電池の蓄電残量を示す
情報を受信し、
前記発光比率決定手段は、前記受信手段によって受信された蓄電残量が所定の残量以下
である場合、前記第１の発光手段の発光量に対する前記第２の発光手段の発光量の比率を
高くすることを特徴とする請求項１１に記載のストロボ装置。
【請求項１７】
前記第１の発光手段はキセノン管であり、前記第２の発光手段は発光ダイオードである
ことを特徴とする請求項１１に記載のストロボ装置。
【請求項１８】
第１の発光手段と、該第１の発光手段に比べ、発光量が少なく且つ高精度の発光量制御
が可能な第２の発光手段とを備え、撮像装置に接続可能なストロボ装置に適用されるスト
ロボ発光制御方法において、
前記ストロボ装置に接続された撮像装置から該撮像装置の動作状態情報または撮影関連
情報を受信する受信ステップと、
前記受信ステップによって受信された前記撮像装置の動作状態情報または撮影関連情報
に応じて、前記第１の発光手段と前記第２の発光手段との発光比率を決定する発光比率決
定ステップと、
前記発光比率決定ステップによって決定された発光比率に従い、前記第１の発光手段及
び前記第２の発光手段の各発光量を制御する発光量制御ステップと
を有することを特徴とするストロボ発光制御方法。
【請求項１９】
第１の発光手段と、該第１の発光手段に比べ、発光量が少なく且つ高精度の発光量制御
が可能な第２の発光手段とを備え、撮像装置に接続可能なストロボ装置に適用されるスト
ロボ発光制御方法を、コンピュータに実行させるためのプログラムにおいて、
前記ストロボ装置に接続された撮像装置から該撮像装置の動作状態情報または撮影関連
情報を受信する受信ステップと、
前記受信ステップによって受信された前記撮像装置の動作状態情報または撮影関連情報
に応じて、前記第１の発光手段と前記第２の発光手段との発光比率を決定する発光比率決
定ステップと、
前記発光比率決定ステップによって決定された発光比率に従い、前記第１の発光手段及
び前記第２の発光手段の各発光量を制御する発光量制御ステップと
を有することを特徴とするプログラム。
【請求項２０】
第１の発光手段と、該第１の発光手段に比べ、発光量が少なく且つ高精度の発光量制御
が可能な第２の発光手段とを備えたストロボ装置が接続可能な撮像装置において、
前記撮像装置の動作状態情報または撮影関連情報に応じて、前記第１の発光手段と前記
第２の発光手段との発光比率を決定する発光比率決定手段と、
前記発光比率決定手段によって決定された発光比率に従い、前記第１の発光手段及び前
記第２の発光手段の各発光量を制御する発光量制御手段と
を有することを特徴とする撮像装置。
【請求項２１】
適正露出を得るために必要なストロボ発光量を算出する発光量算出手段をさらに有し、
前記発光比率決定手段は、前記発光量算出手段によって算出されたストロボ発光量が所
定の発光量以下である場合、前記第１の発光手段の発光量に対する前記第２の発光手段の
発光量の比率を高くすることを特徴とする請求項２０に記載の撮像装置。
【請求項２２】
前記発光比率決定手段は、前記撮像装置と被写体との距離が所定の距離以下である場合
、前記第１の発光手段の発光量に対する前記第２の発光手段の発光量の比率を高くするこ
とを特徴とする請求項２０に記載の撮像装置。
【請求項２３】
前記発光比率決定手段は、前記撮像装置に接写撮影モードが設定されている場合、前記
第１の発光手段の発光量に対する前記第２の発光手段の発光量の比率を高くすることを特
徴とする請求項２０に記載の撮像装置。
【請求項２４】
前記発光比率決定手段は、シャッタ速度が所定の速度以上である場合、前記第１の発光
手段の発光量に対する前記第２の発光手段の発光量の比率を高くすることを特徴とする請
求項２０に記載の撮像装置。
【請求項２５】
前記撮像装置に装着されている電池の蓄電残量を検出する電池残量検出手段をさらに有
し、
前記発光比率決定手段は、前記電池残量検出手段によって検出された蓄電残量が所定の
残量以下である場合、前記第１の発光手段の発光量に対する前記第２の発光手段の発光量
の比率を高くすることを特徴とする請求項２０に記載の撮像装置。
【請求項２６】
前記第１の発光手段及び前記第２の発光手段でそれぞれ発光される各発光量に基づいて
ホワイトバランス補正データを算出するホワイトバランス補正データ算出手段をさらに有
することを特徴とする請求項２０に記載の撮像装置。
【請求項２７】
前記第１の発光手段はキセノン管であり、前記第２の発光手段は発光ダイオードである
ことを特徴とする請求項２０に記載の撮像装置。
【請求項２８】
第１の発光手段と、該第１の発光手段に比べ、発光量が少なく且つ高精度の発光量制御
が可能な第２の発光手段とを備えたストロボ装置が接続可能な撮像装置に適用されるスト
ロボ発光制御方法において、
前記撮像装置の動作状態情報または撮影関連情報に応じて、前記第１の発光手段と前記
第２の発光手段との発光比率を決定する発光比率決定ステップと、
前記発光比率決定ステップによって決定された発光比率に従い、前記第１の発光手段及
び前記第２の発光手段の各発光量を制御する発光量制御ステップと
を有することを特徴とするストロボ発光制御方法。
【請求項２９】
第１の発光手段と、該第１の発光手段に比べ、発光量が少なく且つ高精度の発光量制御
が可能な第２の発光手段とを備えたストロボ装置が接続可能な撮像装置に適用されるスト
ロボ発光制御方法を、コンピュータに実行させるためのプログラムにおいて、
前記撮像装置の動作状態情報または撮影関連情報に応じて、前記第１の発光手段と前記
第２の発光手段との発光比率を決定する発光比率決定ステップと、
前記発光比率決定ステップによって決定された発光比率に従い、前記第１の発光手段及
び前記第２の発光手段の各発光量を制御する発光量制御ステップと
を有することを特徴とするプログラム。
【発明の詳細な説明】
【技術分野】
【０００１】
本発明は、撮像装置、ストロボ装置、ストロボ発光制御方法、及びプログラムに関し、
特に、ストロボ装置を内装した撮像装置、外部ストロボ装置を接続可能な撮像装置、撮像
装置に接続可能なストロボ装置、該撮像装置やストロボ装置に適用されるストロボ発光制
御方法、及び該ストロボ発光制御方法をコンピュータに実行させるためのプログラムに関
する。
【背景技術】
【０００２】
従来、ストロボの発光時間を制御する方式には、いわゆる外測調光と称されるものがあ
り、この方式では、ストロボの発光を開始し、被写体からの反射光を撮影レンズと異なる
光学系を通して受光し、その受光量を積分して積分値が所定量に達した時点でストロボの
発光を停止するようにしている。
【０００３】
また、ＴＴＬ調光と称されるものもあり、この方式では、ストロボの発光を開始し、被
写体からの反射光を、撮影レンズを通して受光し、その受光量を積分して積分値が所定量
に達した時点でストロボの発光を停止するようにしている。
【０００４】
こうした外測調光やＴＴＬ調光では、近距離被写体の撮影や高ＩＳＯ感度での撮影など
において小発光量での閃光発光を行う場合に、調光制御性が悪化して露出がオーバになり
易いという問題点があった。その原因を、図１０および図１１を参照して説明する。
【０００５】
図１０は、ＴＴＬ調光を行う一眼レフカメラにおける光路を示す図である。
【０００６】
図１０において５１１は被写体、５００は撮影レンズ、５０１はミラー、５０２はフォ
ーカシングスクリーン、５０３はペンタプリズム、５０４はアイピース、５０７はＴＴＬ
測光用の受光素子、５０６は、受光素子５０７に被写体５１１からの反射光像を結像する
レンズ、５０８は積分回路、５０９はストロボ発光用のキセノン管、５１０はストロボ光
を被写体に効率よく投影するための反射笠である。
【０００７】
図１１は、キセノン管５０９の発光特性と、発光停止時における実際に発光が止まるま
でのオーバシュートとを示す図である。
【０００８】
図１１に示すように、キセノン管５０９は、時刻ｔ０に光放射が始まると、発光強度が
増加し、キセノン管５０９に流れる電流が、ストロボ発光用の電源の電圧とキセノン管５
０９のインピーダンスとにより定まる最大電流に到達した後は、徐々に発光強度が減少す
る特性を示す。
【０００９】
被写体が近い場合は、時刻ｔ０にて積分回路５０８が受光素子５０７の出力レベルの積
分を開始して発光量を求め、例えば時刻ｔ１で所定発光量に到達したことを検出すると、
キセノン管５０９の発光を停止させる。但し、キセノン管５０９の発光は、不図示の発光
遮断回路の応答遅れやキセノン管５０９のイオン消失に時間がかかるために、実際の発光
停止は時刻ｔ２となってしまう。
【００１０】
また、被写体が遠い場合は、例えば時刻ｔ３で所定発光量に到達したことを検出すると
、時刻ｔ３でキセノン管５０９の発光を停止させるが、同様に、実際の発光停止は時刻ｔ
４となってしまう。
【００１１】
被写体が近い場合、すなわち小発光量の場合における時刻ｔ１から時刻ｔ２までの露光
オーバ量は、下記式（１）で算出される。
【００１２】
【数１】
2006091820.tif 000003
【００１３】
また、被写体が遠い場合における時刻ｔ３から時刻ｔ４までの露光オーバ量は、下記式
（２）で算出される。
【００１４】
【数２】
2006091820.tif 000004
【００１５】
ここで、発光停止指示時点から実際の発光停止時点までの時間は、発光遮断回路の応答
速度などにより決まり、発光量の大きさには余り関連しないので、発光量が小さいほどオ
ーバシュート分（露光オーバ量）が発光量全体に占める割合が多くなり、露出オーバとな
る傾向が強いということになる。
【００１６】
これを解決するためには、発光遮断回路の応答速度を早めることが考えられる。
【００１７】
また、他の解決策として、ＩＳＯ感度に応じて調光レベルを補正するＴＴＬ調光方式の
カメラが提案されている（例えば、特許文献１参照）。
【００１８】
一方、近年、白色発光ダイオードを使用したストロボ装置が提案されている。図１２は
、白色発光ダイオードの発光量特性を示す図である。
【００１９】
すなわち、白色発光ダイオードの発光量は、該白色発光ダイオードに供給される電流Ｉ
が一定である限り、時間的に変動せず、また白色発光ダイオードに流れる電流ＩがＸ０、
Ｘ１、Ｘ２と高くなるに連れて、発光量が高くなるという特性を有している。そのため、
キセノン管に比べて発光や発光停止の指示に対する応答性に優れ、微小発光量の制御が容
易である。その上、白色発光ダイオードは発光寿命が長く、消費電力も少ないという性質
を備えている。
【特許文献１】特開昭６３−９７９２４号公報
【発明の開示】
【発明が解決しようとする課題】
【００２０】
しかしながら、上記従来の発光遮断回路の応答速度を早める方策では、その高速化に限
界があり、また発光遮断回路のコスト高を招いてしまうという問題があった。
【００２１】
また、上記従来のＩＳＯ感度に応じて調光レベルを補正するＴＴＬ調光方式のカメラで
は、調光レベルを補正するだけであり、この補正では、近距離の被写体を撮影する場合や
レンズが明るい（撮影絞りが開放に近い）場合における露出オーバを解決することはでき
なかった。
【００２２】
また、上記従来の白色発光ダイオードを使用するストロボ装置では、白色発光ダイオー
ドの発光量がキセノン管に比べて乏しく、白色発光ダイオードのみを使用したのでは、カ
メラの撮影に必要な発光量を得ることができないという問題点があった。
【００２３】
本発明はこのような問題点に鑑みてなされたものであって、大発光量から小発光量に至
るまで、実発光量の適正発光量に対する偏差が極めて少ない撮像装置、ストロボ装置、ス
トロボ発光制御方法、及びプログラムを提供することを目的とする。
【課題を解決するための手段】
【００２４】
上記目的を達成するために、請求項１記載の発明によれば、ストロボ発光を行うことが
可能な撮像装置において、第１の発光手段と、前記第１の発光手段に比べ、発光量が少な
く且つ高精度の発光量制御が可能な第２の発光手段と、前記撮像装置の動作状態情報また
は撮影関連情報に応じて、前記第１の発光手段と前記第２の発光手段との発光比率を決定
する発光比率決定手段と、前記発光比率決定手段によって決定された発光比率に従い、前
記第１の発光手段及び前記第２の発光手段の各発光量を制御する発光量制御手段とを有す
ることを特徴とする撮像装置が提供される。
【００２５】
また、請求項９記載の発明によれば、第１の発光手段と、該第１の発光手段に比べ、発
光量が少なく且つ高精度の発光量制御が可能な第２の発光手段とによりストロボ発光を行
うことが可能な撮像装置に適用されるストロボ発光制御方法において、前記撮像装置の動
作状態情報または撮影関連情報に応じて、前記第１の発光手段と前記第２の発光手段との
発光比率を決定する発光比率決定ステップと、前記発光比率決定ステップによって決定さ
れた発光比率に従い、前記第１の発光手段及び前記第２の発光手段の各発光量を制御する
発光量制御ステップとを有することを特徴とするストロボ発光制御方法が提供される。
【００２６】
また、請求項１１記載の発明によれば、撮像装置に接続可能なストロボ装置において、
第１の発光手段と、前記第１の発光手段に比べ、発光量が少なく且つ高精度の発光量制御
が可能な第２の発光手段と、前記ストロボ装置に接続された撮像装置から該撮像装置の動
作状態情報または撮影関連情報を受信する受信手段と、前記受信手段によって受信された
前記撮像装置の動作状態情報または撮影関連情報に応じて、前記第１の発光手段と前記第
２の発光手段との発光比率を決定する発光比率決定手段と、前記発光比率決定手段によっ
て決定された発光比率に従い、前記第１の発光手段及び前記第２の発光手段の各発光量を
制御する発光量制御手段とを有することを特徴とするストロボ装置が提供される。
【００２７】
また、請求項１８記載の発明によれば、第１の発光手段と、該第１の発光手段に比べ、
発光量が少なく且つ高精度の発光量制御が可能な第２の発光手段とを備え、撮像装置に接
続可能なストロボ装置に適用されるストロボ発光制御方法において、前記ストロボ装置に
接続された撮像装置から該撮像装置の動作状態情報または撮影関連情報を受信する受信ス
テップと、前記受信ステップによって受信された前記撮像装置の動作状態情報または撮影
関連情報に応じて、前記第１の発光手段と前記第２の発光手段との発光比率を決定する発
光比率決定ステップと、前記発光比率決定ステップによって決定された発光比率に従い、
前記第１の発光手段及び前記第２の発光手段の各発光量を制御する発光量制御ステップと
を有することを特徴とするストロボ発光制御方法が提供される。
【００２８】
また、請求項２０記載の発明によれば、第１の発光手段と、該第１の発光手段に比べ、
発光量が少なく且つ高精度の発光量制御が可能な第２の発光手段とを備えたストロボ装置
が接続可能な撮像装置において、前記撮像装置の動作状態情報または撮影関連情報に応じ
て、前記第１の発光手段と前記第２の発光手段との発光比率を決定する発光比率決定手段
と、前記発光比率決定手段によって決定された発光比率に従い、前記第１の発光手段及び
前記第２の発光手段の各発光量を制御する発光量制御手段とを有することを特徴とする撮
像装置が提供される。
【００２９】
また、請求項２８記載の発明によれば、第１の発光手段と、該第１の発光手段に比べ、
発光量が少なく且つ高精度の発光量制御が可能な第２の発光手段とを備えたストロボ装置
が接続可能な撮像装置に適用されるストロボ発光制御方法において、前記撮像装置の動作
状態情報または撮影関連情報に応じて、前記第１の発光手段と前記第２の発光手段との発
光比率を決定する発光比率決定ステップと、前記発光比率決定ステップによって決定され
た発光比率に従い、前記第１の発光手段及び前記第２の発光手段の各発光量を制御する発
光量制御ステップとを有することを特徴とするストロボ発光制御方法が提供される。
【００３０】
さらに、上記ストロボ発光制御方法をコンピュータに実行させるためのプログラムが提
供される。
【発明の効果】
【００３１】
本発明によれば、ストロボ装置を内蔵した撮像装置において、第１の発光手段と、該第
１の発光手段に比べ、発光量が少なく且つ高精度の発光量制御が可能な第２の発光手段と
を備え、撮像装置の動作状態情報または撮影関連情報に応じて、第１の発光手段と第２の
発光手段との発光比率を決定し、この決定された発光比率に従い、第１の発光手段及び第
２の発光手段の各発光量を制御する。
【００３２】
また、第１の発光手段と、該第１の発光手段に比べ、発光量が少なく且つ高精度の発光
量制御が可能な第２の発光手段とを備え、撮像装置に接続可能なストロボ装置において、
ストロボ装置に接続された撮像装置から該撮像装置の動作状態情報または撮影関連情報を
受信し、受信された前記撮像装置の動作状態情報または撮影関連情報に応じて、第１の発
光手段と第２の発光手段との発光比率を決定する。この決定された発光比率に従い、第１
の発光手段及び第２の発光手段の各発光量を制御する。
【００３３】
また、第１の発光手段と、該第１の発光手段に比べ、発光量が少なく且つ高精度の発光
量制御が可能な第２の発光手段とを備えた外部ストロボ装置が接続可能な撮像装置におい
て、撮像装置の動作状態情報または撮影関連情報に応じて、第１の発光手段と第２の発光
手段との発光比率を決定し、決定された発光比率に従い、第１の発光手段及び第２の発光
手段の各発光量を制御する。
【００３４】
これによって、ストロボ装置において、大発光量から小発光量に至るまで、実発光量の
適正発光量に対する偏差を少なくすることができる。
【００３５】
また、第１の発光手段及び第２の発光手段でそれぞれ発光される各発光量に基づいてホ
ワイトバランス補正データを算出する。これにより、ストロボ発光時の撮影においても、
適正なホワイトバランス処理を行うことができる。
【発明を実施するための最良の形態】
【００３６】
以下、本発明を実施するための最良の形態について、図面を参照して説明する。
【００３７】
図１は、本発明の一実施の形態に係る撮像装置の構成を示すブロック図である。
【００３８】
本撮像装置は、電子写真方式の一眼レフカメラであり、カメラ本体１００と撮影レンズ
ユニット３００とによって構成され、撮影レンズユニット３００はカメラ本体１００に対
して着脱自在に配設されている。
【００３９】
カメラ本体１００は、以下のように構成される。
【００４０】
１２は、露光量を調整するためのシャッタ（ＳＨ）であり、１４は、該シャッタ１２を
介して入射した光学像を電気信号に変換する撮像素子である。撮影レンズ３１０に入射し
た光線は、光量制限を行う絞り３１２、レンズマウント３０６およびレンズマウント１０
６、ミラー１３０、シャッタ１２を介して撮像素子１４に導かれ、光学像として撮像素子
１４上に結像する。
【００４１】
１３０、１３２はミラーであり、撮影レンズ３１０に入射した光線を光学ファインダ１
１０に導くためのものである。なお、ミラー１３０は、クイックリターンミラーの構成で
あっても、またハーフミラーの構成であってもよい。
【００４２】
１６は、撮像素子１４からのアナログ信号出力をデジタル信号に変換するＡ／Ｄ変換器
である。１８は、撮像素子１４、Ａ／Ｄ変換器１６、Ｄ／Ａ変換器２６にクロック信号や
制御信号を供給するタイミング発生回路であり、メモリ制御回路２２およびシステム制御
回路５０により制御される。
【００４３】
２０は画像処理回路であり、Ａ／Ｄ変換器１６からの画像データまたはメモリ制御回路
２２からの画像データに対して所定の画素補間処理や色変換処理を行う。また、画像処理
回路２０は、必要に応じて、画像データに対して所定の演算処理を行い、得られた演算結
果をシステム制御回路５０へ送る。システム制御回路５０は、この送られた演算結果に基
づいて、ＴＴＬ（スルー・ザ・レンズ）方式のＡＦ（オートフォーカス）処理、ＡＥ（自
動露出制御）処理、ＥＦ（ストロボ調光）処理を行い、シャッタ制御部４０、測距部４２
を制御する。
【００４４】
さらに、画像処理回路２０は、画像表示部２８に表示すべき画像データに対して、画像
データに付随するホワイトバランス補正データに基づいてＷＢ（ホワイトバランス）処理
を行う。
【００４５】
２２はメモリ制御回路であり、Ａ／Ｄ変換器１６、タイミング発生回路１８、画像処理
回路２０、画像表示メモリ２４、Ｄ／Ａ変換器２６、メモリ３０、圧縮・伸長回路３２を
制御する。Ａ／Ｄ変換器１６からの出力データは、画像処理回路２０、メモリ制御回路２
２を介して、または直接メモリ制御回路２２を介して、画像表示メモリ２４またはメモリ
３０に書き込まれる。
【００４６】
２４は画像表示メモリであり、２６はＤ／Ａ変換器であり、２８はＴＦＴ・ＬＣＤなど
から成る画像表示部である。画像表示メモリ２４に書き込まれた表示用の画像データは、
Ｄ／Ａ変換器２６を介して画像表示部２８に送られ、画像表示部２８で表示される。画像
表示部２８を用いて、撮像した画像データを逐次表示すれば、電子ビューファインダ機能
を実現することも可能である。また、画像表示部２８は、システム制御回路５０からの指
示に従い表示をＯＮ／ＯＦＦすることができ、表示をＯＦＦにした場合にはカメラ本体１
００の電力消費を大幅に低減することが可能である。
【００４７】
３０は、撮影した静止画像や動画像を格納するためのメモリであり、静止画像を連続し
て撮影する連写撮影やパノラマ撮影の場合にも、高速かつ大量に画像書き込みを行うこと
が可能である。また、メモリ３０は、システム制御回路５０の作業領域として使用するこ
とが可能である。
【００４８】
３２は、適応離散コサイン変換（ＡＤＣＴ）などにより画像データを圧縮伸長するため
の圧縮・伸長回路であり、メモリ３０に格納された画像を読み込んで圧縮処理または伸長
処理を行い、処理を終えたデータをメモリ３０に書き込む。
【００４９】
４０はシャッタ制御部であり、測光部４４からの測光情報に基づいて、絞り３１２を制
御するための絞り制御部３４０と連携しながら、シャッタ１２を動作制御する。
【００５０】
４２は、ＡＦ（オートフォーカス）処理を行うための測距部であり、撮影レンズ３１０
に入射した光線を一眼レフ方式によって、絞り３１２、レンズマウント３０６，１０６、
ミラー１３０、そして測距用サブミラー（図示せず）を介して測距部４２に入射させるこ
とにより、測距部４２は、光学像として結像された画像の合焦状態を測定する。
【００５１】
４４は、ＡＥ（自動露出）処理を行うための測光部であり、撮影レンズ３１０に入射し
た光線を一眼レフ方式によって絞り３１２、レンズマウント３０６および１０６、ミラー
１３０および１３２、そして測光用レンズ（図示せず）を介して測光部４４に入射させる
ことにより、光学像として結像された画像の露出状態を測定することができる。また、測
光部４４は、ストロボ装置７０と連携することによりＥＦ（ストロボ調光）処理機能も有
するものである。
【００５２】
４８は被写体距離検出部であり、撮影レンズ３１０の絶対位置を検出し、カメラから被
写体までの距離を得るためのものであり、例えば至近位置から無限遠までの距離を４ビッ
ト程度のコードパターンで表す。被写体距離検出部４８は、不図示のブラシ接点を用いて
合焦位置での被写距離を検出できるようになっている。
【００５３】
５０は、カメラ本体１００全体を制御するシステム制御回路であり、５２は、システム
制御回路５０の動作用の定数、変数、プログラムなどを記憶するメモリである。
【００５４】
５４は表示部であり、システム制御回路５０でのプログラムの実行に応じて、文字、画
像、音声などを用いて動作状態やメッセージなどを表示する。表示部５４は、カメラ本体
１００の操作部近辺の視認しやすい位置に単数または複数個配設され、例えばＬＣＤやＬ
ＥＤ、発音素子などの組み合わせにより構成される。また、表示部５４はその一部の機能
が光学ファインダ１１０内に配設される。表示部５４の表示内容のうち、ＬＣＤなどに表
示するものとしては、シングルショット／連写撮影表示、セルフタイマ表示、画像圧縮率
表示、記録画素数表示、記録枚数表示、残撮影可能枚数表示、シャッタスピード表示、絞
り値表示、露出補正表示、ストロボ表示、赤目緩和表示、マクロ撮影表示、ブザー設定表
示、時計用電池残量表示、電池残量表示、エラー表示、複数桁の数字による情報表示、記
録媒体２００，２１０の着脱状態表示、撮影レンズユニット３００の着脱状態表示、通信
Ｉ／Ｆ動作表示、日付・時刻表示、外部コンピュータとの接続状態を示す表示などがある
。また、表示部５４の表示内容のうち、光学ファインダ１１０内に表示するものとしては
、合焦表示、撮影準備完了表示、手振れ警告表示、ストロボ充電表示、ストロボ充電完了
表示、シャッタスピード表示、絞り値表示、露出補正表示、記録媒体書き込み動作表示、
マクロ撮影設定通知表示、二次電池充電状態表示などがある。そして、表示部５４の表示
内容のうち、ランプなどに表示するものとしては、セルフタイマ通知などがある。このセ
ルフタイマ通知ランプはＡＦ補助光と共用してもよい。
【００５５】
５６は電気的に消去・記録可能な不揮発性メモリであり、例えばＥＥＥＰＲＯＭなどが
用いられる。
【００５６】
６０、６２、６４、１１６は、システム制御回路５０への各種の動作指示を入力するた
めの操作手段であり、スイッチやダイヤル、タッチパネル、視線検知によるポインティン
グ、音声認識装置などの単数または複数の組み合わせで構成される。
【００５７】
ここで、これらの操作手段の具体的な説明を行う。６０はモードダイヤルスイッチであ
り、自動撮影モード、プログラム撮影モード、シャッタ速度優先撮影モード、絞り優先撮
影モード、マニュアル撮影モード、焦点深度優先（ＤＥＰＳ）撮影モード、ポートレート
撮影モード、風景撮影モード、接写撮影モード、スポーツ撮影モード、夜景撮影モード、
パノラマ撮影モードなどの各機能撮影モードを切換え設定することができる。
【００５８】
６２はレリーズスイッチＳＷ１であり、レリーズボタン（図示せず）の操作途中（半押
し状態）でＯＮとなり、これによって、ＡＦ（オートフォーカス）処理やＡＥ（自動露出
）処理、ＷＢ（ホワイトバランス）処理、ＥＦ（ストロボ調光）処理などが開始される。
【００５９】
６４はレリーズスイッチＳＷ２であり、レリーズボタンの操作完了（全押し状態）でＯ
Ｎとなり、これにより、露光処理、現像処理、記録処理といった一連の処理の実行が開始
される。この露光処理では、撮像素子１４から読み出された信号をＡ／Ｄ変換器１６、メ
モリ制御回路２２を介してメモリ３０に画像データとして書き込む。現像処理では、画像
処理回路２０やメモリ制御回路２２での演算を用いて現像を行う。記録処理では、メモリ
３０から画像データを読み出し、圧縮・伸長回路３２で圧縮を行い、記録媒体２００，２
１０に書き込む。
【００６０】
６６はストロボ発光比率設定基準記憶部であり、ストロボ装置７０におけるキセノン管
７２と白色発光ダイオード７４との発光比率を決定する際に必要となる様々な要素（スト
ロボ装置７０の発光量、被写体距離、シャッタスピード、電池残量、撮影モードなど）の
基準値を記憶する。
【００６１】
７０は、キセノン管７２および白色発光ダイオード７４を有するストロボ装置であり、
ＡＦ補助光の投光機能、ストロボ調光機能も有する。キセノン管７２および白色発光ダイ
オード７４は、ストロボ制御部７６によって発光量および発光タイミングを制御される。
【００６２】
なお、撮像素子１４によって撮像された画像データを基に画像処理回路２０によって演
算した演算結果に基づき、システム制御回路５０がシャッタ制御部４０、絞り制御部３４
０、測距制御部３４２に対して、ビデオＴＴＬ方式を用いた露出制御およびＡＦ（オート
フォーカス）制御を行うことも可能である。さらに、測距部４２による測定結果と、撮像
素子１４から得られた画像データを画像処理回路２０が演算することによって得られた演
算結果とを用いて、ＡＦ（オートフォーカス）制御を行ってもよい。また、測光部４４に
よる測定結果と、撮像素子１４から得られた画像データを画像処理回路２０が演算するこ
とによって得られた演算結果とを用いて露出制御を行ってもよい。
【００６３】
７３は、ストロボ装置７０のキセノン管７２が発光するために用いられるメインコンデ
ンサである。
【００６４】
７６はストロボ制御部であり、測光部４４の測光結果に基づいてシステム制御回路５０
が算出した発光量および発光タイミングに基づいて、キセノン管７２及び白色発光ダイオ
ード７４の発光を制御する。
【００６５】
７８は、メインコンデンサ７３の充電電圧を検出するメインコンデンサ電圧検出部であ
る。
【００６６】
８０は電源制御部であり、図示しない電池検出回路、ＤＣ／ＤＣコンバータ、通電対象
を切り替えるスイッチ回路などにより構成されており、電池の装着の有無、電池の種類の
検出を行い、検出結果およびシステム制御回路５０の指示に基づいてＤＣ／ＤＣコンバー
タを制御し、必要な電圧を必要な期間、記録媒体２００，２１０を含む各部へ供給する。
【００６７】
８２は、コネクタ８４，８６を介して電源部８８の電池残量を検出する電池残量検出部
である。
【００６８】
電源部８８は、アルカリ電池やリチウム電池などの一次電池や、ＮｉＣｄ電池やＮｉＭ
Ｈ電池、Ｌｉイオン電池などの二次電池、ＡＣアダプターなどのいずれかで構成される。
【００６９】
９０および９４は、メモリカードやハードディスクなどの記録媒体とのインターフェー
スであり、９２および９６は、メモリカードやハードディスクなどの記録媒体と接続を行
うコネクタであり、９８は、コネクタ９２およびコネクタ９６に記録媒体２００または記
録媒体２１０が装着されているか否かを検知する記録媒体着脱検知部である。
【００７０】
なお、本実施の形態では、記録媒体を取り付けるインターフェースおよびコネクタを各
２系統備えるものとして説明しているが、インターフェースおよびコネクタは各々、１系
統または３系統以上備えるように構成してもよい。また、インターフェース９０、９４及
びコネクタ９２、９６を含め、インターフェースおよびコネクタは各々、ＰＣＭＣＩＡカ
ードやＣＦ（コンパクトフラッシュ（登録商標））カード、ＳＤカードなどの規格に準拠
したものを用いてもよく、また、異なる規格のインターフェースおよびコネクタを組み合
わせてもよい。さらに、インターフェース９０、９４及びコネクタ９２、９６をＰＣＭＣ
ＩＡカードやＣＦカード、ＳＤカードなどの規格に準拠したものを用いて構成した場合、
ＬＡＮカードやモデムカード、ＵＳＢカード、ＩＥＥＥ１３９４カード、Ｐ１２８４カー
ド、ＳＣＳＩカード、ＰＨＳの通信カードなど、各種通信カードを用いることにより、他
のコンピュータやプリンタなどの周辺機器との間で画像データや画像データに付属した管
理情報を転送し合うことができる。
【００７１】
１１０は光学ファインダであり、撮影レンズ３１０に入射した光線が、絞り３１２、レ
ンズマウント３０６，１０６、ミラー１３０，１３２を介して導かれ、光学ファインダ１
１０に光学像として結像される。これにより、画像表示部２８による電子ビューファイン
ダ機能を使用することなしに光学ファインダ１１０のみを用いて撮影を行うことが可能で
ある。また、光学ファインダ１１０内には、表示部５４の一部の表示機能（合焦表示、手
振れ警告表示、フラッシュ充電表示、シャッタスピード表示、絞り値表示、露出補正表示
など）が設置される。
【００７２】
１１２は通信部であり、ＲＳ２３２ＣやＵＳＢ、ＩＥＥＥ１３９４、Ｐ１２８４、ＳＣ
ＳＩ、モデム、ＬＡＮ、無線通信などの各種通信機能を有する。
【００７３】
１１４はコネクタまたはアンテナであり、通信部１１２を介してカメラ本体１００を他
の機器と接続するためのコネクタまたは無線通信の場合はアンテナである。
【００７４】
１１６は、各種ボタンやタッチパネルなどからなる操作部であり、メニューボタン、セ
ットボタン、マクロボタン、マルチ画面再生改ページボタン、フラッシュ設定ボタン、単
写／連写／セルフタイマ切り替えボタン、メニュー移動＋（プラス）ボタン、メニュー移
動−（マイナス）ボタン、撮影画質選択ボタン、露出補正ボタン、日付／時間設定ボタン
、パノラマモードなどの撮影および再生を実行する際に各種機能の選択および切り替えを
設定するための選択／切り替えボタン、パノラマモードなどの撮影および再生を実行する
際に各種機能の決定および実行を設定するための決定／実行ボタン、画像表示部２８のＯ
Ｎ／ＯＦＦを設定するための画像表示ＯＮ／ＯＦＦスイッチ、撮影直後に撮影した画像デ
ータを自動再生するクイックレビュー機能を設定するためのクイックレビューＯＮ／ＯＦ
Ｆスイッチ、ＪＰＥＧ圧縮の圧縮率を選択するため、または撮像素子１４からの出力信号
をそのままデジタル化して記録媒体に記録するＣＣＤＲＡＷモードを選択するためのスイ
ッチである圧縮モードスイッチ、再生モード、ＰＣ接続モードなどの各機能モードを設定
するための再生スイッチ、レリーズスイッチＳＷ（１）６４を押したならばオートフォー
カス動作を開始し、一旦合焦したならばその合焦状態を保ち続けるワンショットＡＦモー
ドと、レリーズスイッチＳＷ（１）６４を押している間は連続してオートフォーカス動作
を続けるサーボＡＦモードとを設定するためのＡＦモード設定スイッチなどがある。
【００７５】
なお、上記プラスボタンおよびマイナスボタンの各機能は、回転ダイヤルスイッチを備
えることによって、より軽快に数値や機能を選択することが可能である。
【００７６】
１１８は電源スイッチであり、カメラ本体１００の電源オン、電源オフの各モードを切
り替え設定するためのスイッチである。また、電源スイッチ１１８は、カメラ本体１００
に接続された撮影レンズユニット３００、外部ストロボ装置（図示せず）、記録媒体２０
０、２１０などの各種付属装置の電源オン、電源オフの設定も合わせて行うことができる
。
【００７７】
１２０は、カメラ本体１００を撮影レンズユニット３００と接続するためのインターフ
ェースであり、１２２は、カメラ本体１００を撮影レンズユニット３００と電気的に接続
するためのコネクタであり、１２４は、レンズマウント１０６およびコネクタ１２２に撮
影レンズユニット３００が装着されているか否かを検知するレンズ着脱検知部である。
【００７８】
コネクタ１２２を介することによって、カメラ本体１００と撮影レンズユニット３００
との間で制御信号、状態信号、データ信号などが転送されると共に、カメラ本体１００か
ら撮影レンズユニット３００へ各種電圧の電流が供給される。また、コネクタ１２２を介
して、電気通信のみならず、光通信、音声通信などを行う構成としてもよい。
【００７９】
１２６は、カメラ本体１００を外部ストロボ装置と接続するためのインターフェースで
あり、１２８は、カメラ本体１００を外部ストロボ装置と電気的に接続するためのコネク
タ、１３４は、コネクタ１２８に外部ストロボ装置が装着されているか否かを検知するス
トロボ着脱検出部である。
【００８０】
コネクタ１２８を介して、カメラ本体１００と外部ストロボ装置との間で制御信号、状
態信号、データ信号などが転送されると共に、カメラ本体１００から外部ストロボ装置へ
各種電圧の電流が供給される。
【００８１】
１５０はストロボホワイトバランス算出回路であり、測光部４４での測光結果に基づい
てシステム制御回路５０が算出したストロボ装置７０のキセノン管７２および白色発光ダ
イオード７４の発光量と発光タイミングとから、ストロボ装置７０から発光されるべきス
トロボ光の色温度を算出する。
【００８２】
１５２は色温度補正データ記憶部であり、撮影者によって選択された光源や入力された
色温度と、ストロボホワイトバランス算出回路１５０によって算出された色温度に応じて
予め設定されたホワイトバランス調整のゲインとを記憶する。
【００８３】
１５４はホワイトバランス制御回路であり、色温度補正データ記憶部１５２に記憶され
ている選択光源や入力色温度とホワイトバランス調整のゲインとを用いて、画像処理回路
２０がホワイトバランスの処理をするのに必要なホワイトバランス補正データを算出する
。
【００８４】
２００は、メモリカードやハードディスクなどの記録媒体である。記録媒体２００は、
半導体メモリや磁気ディスクなどから構成される記録部２０２、カメラ本体１００とのイ
ンターフェース２０４、カメラ本体１００と接続を行うためのコネクタ２０６を備えてい
る。
【００８５】
２１０は、メモリカードやハードディスクなどの記録媒体である。記録媒体２１０も、
半導体メモリや磁気ディスクなどから構成される記録部２１２、カメラ本体１００とのイ
ンターフェース２１４、カメラ本体１００と接続を行うためのコネクタ２１６を備えてい
る。
【００８６】
３００は、交換レンズタイプの撮影レンズユニットであり、以下のように構成されてい
る。
【００８７】
３０６は、撮影レンズユニット３００をカメラ本体１００と機械的に結合するレンズマ
ウントである。レンズマウント３０６内には、撮影レンズユニット３００をカメラ本体１
００と電気的に接続するための各種構成が含まれている。
【００８８】
３１０は撮影レンズ、３１２は絞りである。
【００８９】
３２０は、撮影レンズユニット３００をカメラ本体１００と接続するためのインターフ
ェースであり、３２２は、撮影レンズユニット３００をカメラ本体１００と電気的に接続
するためのコネクタである。
【００９０】
コネクタ３２２を介して、カメラ本体１００と撮影レンズユニット３００との間で制御
信号、状態信号、データ信号などが転送されると共に、カメラ本体１００から撮影レンズ
ユニット３００へ各種電圧の電流が供給される。なお、コネクタ３２２を介して電気通信
のみならず、光通信、音声通信などが行われる構成としてもよい。
【００９１】
３４０は絞り制御部であり、測光部４４からの測光情報に基づいてシャッタ１２を制御
するシャッタ制御部４０と連携しながら、絞り３１２の動作制御を行う。
【００９２】
３４２は、撮影レンズ３１０のフォーカシングを制御する測距制御部（フォーカス制御
部）であり、３４４は、撮影レンズ３１０のズーミングを制御するズーム制御部である。
【００９３】
３５０は、撮影レンズユニット３００全体を制御するレンズ制御部である。レンズ制御
部３５０は、動作用の定数、変数、プログラムなどを記憶するためのメモリや、撮影レン
ズユニット３００固有の識別番号などの識別情報、管理情報、開放絞り値や最小絞り値、
焦点距離などの機能情報、現在や過去の各設定値などを保持するための不揮発メモリも備
えている。
【００９４】
次に、上記のような構成をもつ撮像装置の動作について、図２〜図７を参照して説明す
る。
【００９５】
図２及び図３は、図１に示す撮像装置におけるストロボ発光制御を含む撮影動作制御の
手順を示すフローチャートである。
【００９６】
カメラ本体１００の電源スイッチ１１８がＯＮされると、この撮影動作制御が開始され
る。
【００９７】
まずレリーズボタン（図示せず）が半押しされ、レリーズスイッチＳＷ（１）６２がＯ
Ｎされたか否かを判別する（ステップＳ１０１）。その結果、レリーズスイッチＳＷ（１
）６２がＯＮされていない場合は（ステップＳ１０１でＮＯ）、ＯＮされるまでこの判別
処理を繰り返し実行する。
【００９８】
レリーズスイッチＳＷ（１）６２がＯＮされると（ステップＳ１０１でＹＥＳ）、測光
部４４が、画面内を複数エリアに分割して定常光下での被写体輝度を測定し、システム制
御回路５０が、この測定値に基づいて、被写体輝度が適正レベルとなるようにシャッタス
ピードや絞り値を決定するＡＥ（自動露出）処理を行う（ステップＳ１０２）。またこの
時、システム制御回路５０は、測光部４４により得られた被写体輝度を不揮発性メモリ５
６に記憶させる。
【００９９】
次にステップＳ１０３において、システム制御回路５０は、位相差検出方式による焦点
検出動作を行う。焦点検出するポイントである焦点検出ポイントは複数あるため、撮影者
が任意に焦点検出ポイントを設定する場合と、近点優先を基本の考え方として焦点検出ポ
イントを自動設定する場合とがある。システム制御回路５０は、測距部４２から得られる
ＡＦ信号が、設定された焦点検出ポイントで合焦を示すように、インターフェース１２０
，３２０、コネクタ１２２，３２２を介して測距制御部（フォーカス制御部）３４２を制
御し、フォーカシングレンズを駆動することによってＡＦ（オートフォーカス）処理を行
う。
【０１００】
ステップＳ１０４では、レリーズボタンが全押しされたか否か、即ち、レリーズスイッ
チＳＷ（２）６４がＯＮされたか否かを判別する。その結果、レリーズスイッチＳＷ（２
）６４がＯＮされていない場合は（ステップＳ１０４でＮＯ）、ＯＮされるまでこの判別
処理を繰り返し実行する。レリーズスイッチＳＷ（２）６４がＯＮされると（ステップＳ
１０４でＹＥＳ）ステップＳ１０５へ進み、ストロボ発光量Ｖを算出する。
【０１０１】
図４は、ステップＳ１０５で行われるストロボ発光量Ｖの算出処理の詳しい内容を示す
フローチャートである。
【０１０２】
システム制御回路５０は、ストロボ制御部７６を制御し、予め設定されたプリ発光量で
ストロボ装置７０のキセノン管７２をプリ発光させる（ステップＳ２０１）。
【０１０３】
同時に、システム制御回路５０は測光部４４に、ステップＳ２０１で行われたプリ発光
によって照射された被写体の輝度を測定させる（ステップＳ２０２）。
【０１０４】
そしてシステム制御回路５０は、図２のステップＳ１０２で測定され不揮発性メモリ５
６に記憶されている定常光下での被写体輝度と、ステップＳ２０２で測定されたプリ発光
時における被写体輝度とに基づいて、適正な露出量を得るためのストロボ発光量Ｖを演算
する。
【０１０５】
図４に示すストロボ発光量Ｖの算出処理が終了すると図２に戻り、ステップＳ１０６に
進む。ステップＳ１０６では、ストロボ装置７０におけるキセノン管７２と白色発光ダイ
オード７４との発光比率を決定する。
【０１０６】
図５〜図７は、ステップＳ１０６で行われる発光比率の決定処理の詳しい内容を示すフ
ローチャートである。
【０１０７】
なお、図５〜図７において示されるＡ〜Ｐは、ストロボ装置７０のキセノン管７２と白
色発光ダイオード７４とが同時に発光する場合における、キセノン管７２の発光量に対す
る白色発光ダイオード７４の発光量の比率の値を示し、Ａ＜Ｂ＜Ｃ＜・・・＜Ｎ＜Ｏ＜Ｐ
の関係があるものとする。
【０１０８】
ステップＳ３０１において、まずメインコンデンサ電圧検出部７８がストロボ装置７０
内のキセノン管７２を発光させるための電流を蓄えるメインコンデンサ７３の電圧Ｅを検
出し、検出された電圧Ｅが、図２のステップＳ１０５で算出されたストロボ発光量Ｖを得
るに必要な電圧よりも高いか否かを判別する。その結果、検出された電圧Ｅが、ストロボ
発光量Ｖを得るに必要な電圧以下である場合（ステップＳ３０１でＮＯ）、ステップＳ３
０２へ進んで、キセノン管７２の発光量をメインコンデンサ７３の電圧Ｅで賄える発光量
とし、図２のステップＳ１０５で算出されたストロボ本発光量Ｖに対しての不足分を白色
発光ダイオード７４の発光量とする。そして、図３のステップＳ１０８およびステップＳ
１１０に進む。
【０１０９】
一方、ステップＳ３０１で、検出された電圧Ｅが、ストロボ発光量Ｖを得るに必要な電
圧より高いと判別された場合（ステップＳ３０１でＹＥＳ）、ステップＳ３０３へ進んで
、電池残量検出部８２が電源部８８の電池残量を検出し、ストロボ発光比率設定基準記憶
部６６に記憶されている基準電池残量Ｕと比較する。検出された電池残量が基準電池残量
Ｕ以下である場合（ステップＳ３０３でＮＯ）、図６のステップＳ３０５へ進む。
【０１１０】
検出された電池残量が基準電池残量Ｕよりも多い場合は（ステップＳ３０３でＹＥＳ）
、ステップＳ３０４へ進んで、図２のステップＳ１０５にて算出されたストロボ発光量Ｖ
をストロボ発光比率設定基準記憶部６６に記憶されている基準発光量Ｘと比較する。スト
ロボ発光量Ｖが基準発光量Ｘ以下である場合（ステップＳ３０４でＮＯ）、図６のステッ
プＳ３０７へ進む。
【０１１１】
一方、ストロボ発光量Ｖが発光量Ｘよりも多い場合は（ステップＳ３０４でＹＥＳ）、
ステップＳ３０６へ進んで、被写体距離検出部４８がカメラから被写体までの距離を検出
し、検出された被写体距離を、ストロボ発光比率設定基準記憶部６６に記憶されている基
準被写体距離Ｙと比較する。検出された被写体距離が基準被写体距離Ｙ以下である場合（
ステップＳ３０６でＮＯ）、ステップＳ３０９へ進む。
【０１１２】
一方、被写体距離検出部４８により検出された被写体距離が基準被写体距離Ｙよりも長
い場合は（ステップＳ３０６でＹＥＳ）、ステップＳ３０８へ進んで、図２のステップＳ
１０２で決定されたシャッタスピードを、ストロボ発光比率設定基準記憶部６６に記憶さ
れている基準シャッタスピードＺと比較する。ステップＳ１０２で決定されたシャッタス
ピードが基準シャッタスピードＺよりも遅い場合（ステップＳ３０８でＹＥＳ）、ステッ
プＳ３１０へ進んで、ストロボ装置７０のキセノン管７２に対する白色発光ダイオード７
４の発光比率をＡとし、一方、ステップＳ１０２で決定されたシャッタスピードが基準シ
ャッタスピードＺ以上である場合（ステップＳ３０８でＮＯ）、ステップＳ３１１へ進ん
で、キセノン管７２に対する白色発光ダイオード７４の発光比率をＢとする。キセノン管
７２と白色発光ダイオード７４との発光比率が決定すると、図２のステップＳ１０７へ進
む。
【０１１３】
ステップＳ３０９では、ステップＳ３０８と同様に、図２のステップＳ１０２で決定さ
れたシャッタスピードを、ストロボ発光比率設定基準記憶部６６に記憶されている基準シ
ャッタスピードＺと比較する。ステップＳ１０２で決定されたシャッタスピードが基準シ
ャッタスピードＺよりも遅い場合（ステップＳ３０９でＹＥＳ）、ステップＳ３１２へ進
んで、ストロボ装置７０のキセノン管７２に対する白色発光ダイオード７４の発光比率を
Ｃとし、一方、ステップＳ１０２で決定されたシャッタスピードが基準シャッタスピード
Ｚ以上である場合（ステップＳ３０９でＮＯ）、ステップＳ３１３へ進んで、キセノン管
７２に対する白色発光ダイオード７４の発光比率をＤとする。キセノン管７２と白色発光
ダイオード７４との発光比率が決定すると、図２のステップＳ１０７へ進む。
【０１１４】
図６のステップＳ３０７では、ステップＳ３０６と同様に、被写体距離検出部４８がカ
メラから被写体までの距離を検出し、検出された被写体距離を、ストロボ発光比率設定基
準記憶部６６に記憶されている基準被写体距離Ｙと比較する。検出された被写体距離が基
準被写体距離Ｙ以下である場合（ステップＳ３０７でＮＯ）、ステップＳ３１５へ進む。
【０１１５】
一方、被写体距離検出部４８により検出された被写体距離が基準被写体距離Ｙよりも長
い場合は（ステップＳ３０７でＹＥＳ）、ステップＳ３１４へ進んで、図２のステップＳ
１０２で決定されたシャッタスピードを、ストロボ発光比率設定基準記憶部６６に記憶さ
れている基準シャッタスピードＺと比較する。ステップＳ１０２で決定されたシャッタス
ピードが基準シャッタスピードＺよりも遅い場合（ステップＳ３１４でＹＥＳ）、ステッ
プＳ３１６へ進んで、ストロボ装置７０のキセノン管７２に対する白色発光ダイオード７
４の発光比率をＥとし、一方、ステップＳ１０２で決定されたシャッタスピードが基準シ
ャッタスピードＺ以上である場合（ステップＳ３１４でＮＯ）、ステップＳ３１７へ進ん
で、キセノン管７２に対する白色発光ダイオード７４の発光比率をＦとする。キセノン管
７２と白色発光ダイオード７４との発光比率が決定すると、図２のステップＳ１０７へ進
む。
【０１１６】
ステップＳ３１５では、ステップＳ３１４と同様に、図２のステップＳ１０２で決定さ
れたシャッタスピードを、ストロボ発光比率設定基準記憶部６６に記憶されている基準シ
ャッタスピードＺと比較する。ステップＳ１０２で決定されたシャッタスピードが基準シ
ャッタスピードＺよりも遅い場合（ステップＳ３１５でＹＥＳ）、ステップＳ３１８へ進
んで、ストロボ装置７０のキセノン管７２に対する白色発光ダイオード７４の発光比率を
Ｇとし、一方、ステップＳ１０２で決定されたシャッタスピードが基準シャッタスピード
Ｚ以上である場合（ステップＳ３１５でＮＯ）、ステップＳ３１９へ進んで、キセノン管
７２に対する白色発光ダイオード７４の発光比率をＨとする。キセノン管７２と白色発光
ダイオード７４との発光比率が決定すると、図２のステップＳ１０７へ進む。
【０１１７】
図６のステップＳ３０５では、ステップＳ３０４と同様に、図２のステップＳ１０５に
て算出されたストロボ発光量Ｖをストロボ発光比率設定基準記憶部６６に記憶されている
基準発光量Ｘと比較する。ストロボ発光量Ｖが基準発光量Ｘ以下である場合（ステップＳ
３０５でＮＯ）、図７のステップＳ３２１へ進む。
【０１１８】
一方、ストロボ発光量Ｖが発光量Ｘよりも多い場合は（ステップＳ３０５でＹＥＳ）、
ステップＳ３２０へ進んで、被写体距離検出部４８がカメラから被写体までの距離を検出
し、検出された被写体距離を、ストロボ発光比率設定基準記憶部６６に記憶されている基
準被写体距離Ｙと比較する。検出された被写体距離が基準被写体距離Ｙ以下である場合（
ステップＳ３２０でＮＯ）、ステップＳ３２３へ進む。
【０１１９】
一方、被写体距離検出部４８により検出された被写体距離が基準被写体距離Ｙよりも長
い場合は（ステップＳ３２０でＹＥＳ）、ステップＳ３２２へ進んで、図２のステップＳ
１０２で決定されたシャッタスピードを、ストロボ発光比率設定基準記憶部６６に記憶さ
れている基準シャッタスピードＺと比較する。ステップＳ１０２で決定されたシャッタス
ピードが基準シャッタスピードＺよりも遅い場合（ステップＳ３２２でＹＥＳ）、ステッ
プＳ３２４へ進んで、ストロボ装置７０のキセノン管７２に対する白色発光ダイオード７
４の発光比率をＩとし、一方、ステップＳ１０２で決定されたシャッタスピードが基準シ
ャッタスピードＺ以上である場合（ステップＳ３２２でＮＯ）、ステップＳ３２５へ進ん
で、キセノン管７２に対する白色発光ダイオード７４の発光比率をＪとする。キセノン管
７２と白色発光ダイオード７４との発光比率が決定すると、図２のステップＳ１０７へ進
む。
【０１２０】
図７のステップＳ３２３では、ステップＳ３２２と同様に、図２のステップＳ１０２で
決定されたシャッタスピードを、ストロボ発光比率設定基準記憶部６６に記憶されている
基準シャッタスピードＺと比較する。ステップＳ１０２で決定されたシャッタスピードが
基準シャッタスピードＺよりも遅い場合（ステップＳ３２３でＹＥＳ）、ステップＳ３２
６へ進んで、ストロボ装置７０のキセノン管７２に対する白色発光ダイオード７４の発光
比率をＫとし、一方、ステップＳ１０２で決定されたシャッタスピードが基準シャッタス
ピードＺ以上である場合（ステップＳ３２３でＮＯ）、ステップＳ３２７へ進んで、キセ
ノン管７２に対する白色発光ダイオード７４の発光比率をＬとする。キセノン管７２と白
色発光ダイオード７４との発光比率が決定すると、図２のステップＳ１０７へ進む。
【０１２１】
図７のステップＳ３２１では、ステップＳ３２０と同様に、被写体距離検出部４８がカ
メラから被写体までの距離を検出し、検出された被写体距離を、ストロボ発光比率設定基
準記憶部６６に記憶されている基準被写体距離Ｙと比較する。検出された被写体距離が基
準被写体距離Ｙ以下である場合（ステップＳ３２１でＮＯ）、ステップＳ３２９へ進む。
【０１２２】
一方、被写体距離検出部４８により検出された被写体距離が基準被写体距離Ｙよりも長
い場合は（ステップＳ３２１でＹＥＳ）、ステップＳ３２８へ進んで、図２のステップＳ
１０２で決定されたシャッタスピードを、ストロボ発光比率設定基準記憶部６６に記憶さ
れている基準シャッタスピードＺと比較する。ステップＳ１０２で決定されたシャッタス
ピードが基準シャッタスピードＺよりも遅い場合（ステップＳ３２８でＹＥＳ）、ステッ
プＳ３３０へ進んで、ストロボ装置７０のキセノン管７２に対する白色発光ダイオード７
４の発光比率をＭとし、一方、ステップＳ１０２で決定されたシャッタスピードが基準シ
ャッタスピードＺ以上である場合（ステップＳ３２８でＮＯ）、ステップＳ３３１へ進ん
で、キセノン管７２に対する白色発光ダイオード７４の発光比率をＮとする。キセノン管
７２と白色発光ダイオード７４との発光比率が決定すると、図２のステップＳ１０７へ進
む。
【０１２３】
ステップＳ３２９では、ステップＳ３２８と同様に、図２のステップＳ１０２で決定さ
れたシャッタスピードを、ストロボ発光比率設定基準記憶部６６に記憶されている基準シ
ャッタスピードＺと比較する。ステップＳ１０２で決定されたシャッタスピードが基準シ
ャッタスピードＺよりも遅い場合（ステップＳ３２９でＹＥＳ）、ステップＳ３３２へ進
んで、ストロボ装置７０のキセノン管７２に対する白色発光ダイオード７４の発光比率を
Ｏとし、一方、ステップＳ１０２で決定されたシャッタスピードが基準シャッタスピード
Ｚ以上である場合（ステップＳ３２９でＮＯ）、ステップＳ３３３へ進んで、キセノン管
７２に対する白色発光ダイオード７４の発光比率をＰとする。キセノン管７２と白色発光
ダイオード７４との発光比率が決定すると、図２のステップＳ１０７へ進む。
【０１２４】
以上のようにして、電源部８８の電池残量が多く、ストロボ発光量Ｖが大きく、被写体
距離が遠く、シャッタスピードが遅い場合には、キセノン管７２の発光量に対する白色発
光ダイオード７４の発光量の比率が小さく設定され、その逆には大きく設定される。こう
したストロボ装置７０のキセノン管７２および白色発光ダイオード７４の発光比率を決定
する処理を終え、図２のステップ１０７へ進む。
【０１２５】
図２のステップ１０７では、システム制御回路５０が、図２のステップ１０５において
算出されたストロボ装置７０のストロボ発光量Ｖと、ステップＳ１０６において決定され
たキセノン管７２の発光量に対する白色発光ダイオード７４の発光量の比率とから、キセ
ノン管７２および白色発光ダイオード７４のそれぞれの発光量および発光タイミングを算
出する。
【０１２６】
次に、図３に示すステップＳ１０８とステップＳ１１０とへ進む。すなわち、ステップ
Ｓ１０８とステップＳ１１０とが並行して同時に処理される。
【０１２７】
ステップＳ１０８では、測光部４４の測光結果に基づいてシステム制御回路５０が露出
演算を行って露光時間を決定し、この決定された露光時間に基づいてシャッタ制御部４０
がシャッタ１２を駆動制御し、撮像素子１４が、装着された撮影レンズユニット３１０を
透過した光線を受光して信号電荷を蓄積する、といった撮影に係る一連の処理を開始する
。なお、必要に応じて、ステップＳ１０７またはステップＳ３０２において算出された発
光量および発光タイミングに従い、ストロボ装置７０を動作させる。
【０１２８】
ここで、図８及び図９を参照して、ストロボ装置７０のキセノン管７２および白色発光
ダイオード７４に対する発光時間の設定について説明する。
【０１２９】
図８は、ストロボ装置７０のキセノン管７２および白色発光ダイオード７４を、比較的
長時間に亘って同時に発光させる場合における各発光量の時間的な変化を示す図である。
また、図９は、ストロボ装置７０のキセノン管７２および白色発光ダイオード７４を、比
較的短時間に亘って同時に発光させる場合における各発光量の時間的な変化を示す図であ
る。
【０１３０】
図８及び図９において、ＸＸはキセノン管７２の発光量の時間的な変化を示し、ＸＬは
白色発光ダイオード７４の発光量の時間的な変化を示し、ＸＸＬは、キセノン管７２の発
光量と白色発光ダイオード７４の発光量との合計量の時間的な変化を示す。
【０１３１】
長時間発光（図８）では、キセノン管７２を発光時間（ｔ５−ｔ０）に亘って発光させ
るとともに、白色発光ダイオード７４も発光時間（ｔ５−ｔ０）に亘って発光させる。長
時間発光では、キセノン管７２のオーバシュート分も考慮に入れて発光時間を設定するこ
とができ、発光量の制御がしやすい。
【０１３２】
一方、短時間発光（図９）では、キセノン管７２を白色発光ダイオード７４の発光時間
（ｔ７−ｔ０）よりも短い時間（ｔ６−ｔ０）に亘って発光させる。こうした発光時間の
設定によって、キセノン管７２によるオーバシュートの影響を減少させることができ、適
正量のストロボ発光を行うことが可能となる。
【０１３３】
図３に戻って、ステップＳ１０９において画像処理を行う。すなわち、撮像素子１４か
ら出力されたアナログ信号をＡ／Ｄ変換器１６によってデジタル信号に変換し、デジタル
信号となった画像データに対して、画像処理回路２０が所定の画素補間処理や色変換処理
などを行う。
【０１３４】
ステップＳ１０８の実行と並行してステップＳ１１０において、システム制御回路５０
がストロボホワイトバランス算出回路１５０に、ステップＳ１０７またはステップＳ３０
２で算出されたキセノン管７２および白色発光ダイオード７４の発光量を基に、ストロボ
装置７０から発光されるストロボ光の色温度を算出させる。そしてステップＳ１１１で、
システム制御回路５０は、算出された色温度に応じて決まるホワイトバランス調整のゲイ
ンを色温度補正データ記憶部１５２に記憶する。
【０１３５】
ホワイトバランス制御回路１５４が、色温度補正データ記憶部１５２に記憶されたホワ
イトバランス調整のゲインを基に、ホワイトバランス補正データを算出する（ステップＳ
１１２）。
【０１３６】
ステップＳ１１３では、ステップＳ１０９にて画像処理を施された画像データが、ステ
ップＳ１１２で算出されたホワイトバランス補正データと共に、メモリ制御回路２２を介
して画像メモリ２４またはメモリ３０に書き込まれる。または、Ａ／Ｄ変換器１６から出
力された画像データが、ステップＳ１１２で算出されたホワイトバランス補正データと共
に、メモリ制御回路２２を介して画像メモリ２４またはメモリ３０に書き込まれる。
【０１３７】
以上の説明したように、本実施の形態では、発光量は大きいが発光量の高精度の制御が
難しいキセノン管と、発光量の高精度の制御は容易であるが発光量が小さい白色発光ダイ
オードとを、両者の発光量の比率を調整して同時に発光させる。これによって、大発光量
から小発光量に至るまで、実発光量の適正発光量に対する偏差を少なくすることができる
。
【０１３８】
また、キセノン管と白色発光ダイオードとからなるストロボ装置の適正発光量を算出し
、算出された適正発光量に基づいて前記発光比率を調整し、前記適正発光量が所定の発光
量よりも少ない場合、発光量の高精度の制御が容易である白色発光ダイオードの発光比率
を高くする。これにより、実発光量の適正発光量に対する偏差を少なくすることができる
。
【０１３９】
また、被写体距離に基づいて前記発光比率を調整し、被写体距離が所定の距離よりも短
い場合（接写撮影モード時）、白色発光ダイオードの発光比率を高くする。これにより、
調光レベルを補正しても露出オーバを解決できない近距離の被写体に対するストロボ撮影
でも、実発光量の適正発光量に対する偏差を少なくすることができる。
【０１４０】
また、シャッタ速度が所定速度よりも速い場合、白色発光ダイオードの発光比率を高く
する。すなわち、発光停止に対する応答性が悪く、困難な見込み制御を必要とするキセノ
ン管よりも、応答性のよい白色発光ダイオードの発光比率を高くすることにより、実発光
量の適正発光量に対する偏差を少なくすることができる。
【０１４１】
また、電池残量に基づいて発光比率を調整し、電池残量が所定の電池残量よりも少ない
場合、キセノン管よりも消費電力の少ない白色発光ダイオードの発光比率を高くする。こ
れにより、電池残量の減少を緩和することができる。
【０１４２】
また、発光比率に基づいてホワイトバランスを制御する。これにより、ストロボ撮影に
おいても、適正なホワイトバランス処理を行うことができる。
【０１４３】
〔他の実施の形態〕
なお、上記実施の形態では、撮像装置に内蔵されたストロボ装置に対して、撮像装置が
本発明に係る発光制御を行なっていたが、これに代わって、撮像装置に外部から装着され
たストロボ装置に対して、撮像装置が本発明に係る発光制御を行なうようにしてもよい。
【０１４４】
また、外部のストロボ装置自体が、撮像装置から各種情報を得て、該各種情報に応じて
本発明に係る発光制御を行なうようにしてもよい。
【０１４５】
すなわち、撮像装置に接続可能な外部ストロボ装置が、キセノン管と白色発光ダイオー
ドとを備え、撮像装置から該撮像装置の動作状態情報または撮影関連情報を受信し、受信
された前記撮像装置の動作状態情報または撮影関連情報に応じて、下記のようにキセノン
管と白色発光ダイオードとの発光比率を決定する。そして、決定された発光比率に従い、
キセノン管及び白色発光ダイオードの各発光量を制御する。
【０１４６】
具体的には、撮像装置から適正露出を得るために必要なストロボ発光量を受信し、受信
されたストロボ発光量が所定の発光量以下である場合、キセノン管の発光量に対する白色
発光ダイオードの発光量の比率を高くする。
【０１４７】
また、撮像装置から被写体距離情報を受信し、受信された前記被写体距離が所定の距離
以下である場合、キセノン管の発光量に対する白色発光ダイオードの発光量の比率を高く
する。
【０１４８】
また、撮像装置から撮像装置に設定されている撮影モードを示す情報を受信し、受信さ
れた撮影モードが接写撮影モードであった場合、キセノン管の発光量に対する白色発光ダ
イオードの発光量の比率を高くする。
【０１４９】
また、撮像装置からシャッタ速度を示す情報を受信し、受信されたシャッタ速度が所定
の速度以上である場合、キセノン管の発光量に対する白色発光ダイオードの発光量の比率
を高くする。
【０１５０】
また、撮像装置から該撮像装置に装着されている電池の蓄電残量を示す情報を受信し、
受信された蓄電残量が所定の残量以下である場合、キセノン管の発光量に対する白色発光
ダイオードの発光量の比率を高くする。
【０１５１】
さらに、本発明の目的は、前述した実施の形態の機能を実現するソフトウェアのプログ
ラムコードを記録した記憶媒体を、システムまたは装置に供給し、そのシステムまたは装
置のコンピュータ（またはＣＰＵ、ＭＰＵ等）が記憶媒体に格納されたプログラムコード
を読み出して実行することによっても達成される。
【０１５２】
この場合、記憶媒体から読み出されたプログラムコード自体が本発明の新規な機能を実
現することになり、そのプログラムコードを記憶した記憶媒体およびプログラムは本発明
を構成することになる。
【０１５３】
また、プログラムコードを供給するための記憶媒体としては、例えば、フレキシブルデ
ィスク、ハードディスク、光ディスク、光磁気ディスク、ＣＤ−ＲＯＭ、ＣＤ−Ｒ、ＣＤ
−ＲＷ、ＤＶＤ−ＲＯＭ、ＤＶＤ−ＲＡＭ、ＤＶＤ−ＲＷ、ＤＶＤ＋ＲＷ、磁気テープ、
不揮発性のメモリカード、ＲＯＭ等を用いることができる。或いは、上記プログラムは、
インターネット、商用ネットワーク、若しくはローカルエリアネットワーク等に接続され
る他のコンピュータやデータベース等からダウンロードすることにより供給される。
【０１５４】
また、コンピュータが読み出したプログラムコードを実行することにより、前述した実
施の形態の機能が実現されるだけでなく、そのプログラムコードの指示に基づき、コンピ
ュータ上で稼動しているＯＳ（オペレーティングシステム）等が実際の処理の一部または
全部を行い、その処理によって前述した実施の形態の機能が実現される場合も含まれる。
【０１５５】
更に、記憶媒体から読み出されたプログラムコードが、コンピュータに挿入された機能
拡張ボードやコンピュータに接続された機能拡張ユニットに備わるメモリに書き込まれた
後、そのプログラムコードの指示に基づき、その機能拡張ボードや機能拡張ユニットに備
わるＣＰＵ等が実際の処理の一部または全部を行い、その処理によって前述した実施の形
態の機能が実現される場合も含まれる。
【図面の簡単な説明】
【０１５６】
【図１】本発明の一実施の形態に係る撮像装置の構成を示すブロック図である。
【図２】図１に示す撮像装置におけるストロボ発光制御を含む撮影動作制御の手順を示すフローチャート（１／２）である。
【図３】図１に示す撮像装置におけるストロボ発光制御を含む撮影動作制御の手順を示すフローチャート（２／２）である。
【図４】ステップＳ１０５で行われるストロボ発光量Ｖの算出処理の詳しい内容を示すフローチャートである。
【図５】ステップＳ１０６で行われる発光比率の決定処理の詳しい内容を示すフローチャート（１／３）である。
【図６】ステップＳ１０６で行われる発光比率の決定処理の詳しい内容を示すフローチャート（２／３）である。
【図７】ステップＳ１０６で行われる発光比率の決定処理の詳しい内容を示すフローチャート（３／３）である。
【図８】ストロボ装置のキセノン管および白色発光ダイオードを、比較的長時間に亘って同時に発光させる場合における各発光量の時間的な変化を示す図である。
【図９】ストロボ装置のキセノン管および白色発光ダイオードを、比較的短時間に亘って同時に発光させる場合における各発光量の時間的な変化を示す図である。
【図１０】ＴＴＬ調光を行う一眼レフカメラにおける光路を示す図である。
【図１１】キセノン管の発光特性と、発光停止時における実際に発光が止まるまでのオーバシュートとを示す図である。
【図１２】白色発光ダイオードの発光量特性を示す図である。
【符号の説明】
【０１５７】
１００：カメラ本体（撮像装置）
３００：撮影レンズユニット
１４：撮像素子
１６：Ａ／Ｄ変換器
２０：画像処理回路
２８：画像表示部
４２：測距部
４４：測光部
４８：被写体距離検出部
５０：システム制御回路（発光比率決定手段、発光量制御手段）
６２：レリーズスイッチＳＷ１
６４：レリーズスイッチＳＷ２
６６：ストロボ発光比率設定基準記憶部
７０：ストロボ装置
７２：キセノン管（第１の発光手段）
７４：白色発光ダイオード（第２の発光手段）
７６：ストロボ制御部
７８：メインコンデンサ電圧検出部
８２：電池残量検出部
１５０：ストロボホワイトバランス算出回路
１５２：色温度補正データ記憶部
１５４：ホワイトバランス制御回路
２００、２１０：記録媒体
【図１】
2006091820.tif 000005
【図２】
2006091820.tif 000006
【図３】
2006091820.tif 000007
【図４】
2006091820.tif 000008
【図５】
2006091820.tif 000009
【図６】
2006091820.tif 000010
【図７】
2006091820.tif 000011
【図８】
2006091820.tif 000012
【図９】
2006091820.tif 000013
【図１０】
2006091820.tif 000014
【図１１】
2006091820.tif 000015
【図１２】
2006091820.tif 000016